(57)【要約】【課題】端子自体の変形を防止しながら電線を確実に接続固定することができる接続端子を提供する。【解決手段】２つ折り状に屈曲形成されて２つ折りの両片にそれぞれねじ挿通開口１１が形成されるとともに屈曲部１０に電線挿入穴１４が形成され、ねじ挿通開口１１が形成されたねじ受け部１２と支点となる屈曲部１０との間に電線１５を挟持する挟持部１６が形成され、上記挟持部１６とねじ挿通開口１１との間に挟持される電線１５の先端部１５ａを露出させる露出開口２１が形成されていることにより、電線挿入穴１４に挿入した電線１５の最もねじ１３に近づく先端部１５ａを露出開口２１から露出させて、ねじ受け部１２および挟持部１６同士の間から逃がすことで、端子自体が変形してしまうことが防止される。【選択図】図２
2009218081.tif 000002
【特許請求の範囲】
【請求項１】
２つ折り状に屈曲形成されて２つ折りの両片にそれぞれねじ挿通開口が形成されるとともに屈曲部に電線挿入穴が形成され、ねじ挿通開口が形成されたねじ受け部と支点となる屈曲部との間に電線を挟持する挟持部が形成され、上記挟持部とねじ挿通開口との間に挟持される電線の先端部を露出させる露出開口が形成されていることを特徴とする接続端子。
【請求項２】
上記電線挿通穴がプレス加工により形成されたものであり、プレス加工の際にダイス側にあった面が２つ折りの内側に配置されるよう構成されている請求項１記載の接続端子。
【請求項３】
上記挟持部は対面して合わさる凸面部と凹面部を有する請求項１または２記載の接続端子。
【発明の詳細な説明】
【技術分野】
【０００１】
本発明は、圧着端子に代表されるように電線をねじ止め端子等に接続するための接続端子に関するものである。
【背景技術】
【０００２】
圧着工具を必要とせずにドライバ一つで電線をねじ止め端子に接続することのできる圧着端子として、下記の特許文献１に示すものが提案されている。この圧着端子は、導電性の金属片を断面略Ｖ字状に折曲し、ねじ孔を有するワッシャ状のねじ止固定部を二つ設けるとともに、当該ねじ止固定部間の折曲部に裸線の挿入孔を設けたものである。
【特許文献１】実開平５−７２０５１号
【発明の開示】
【発明が解決しようとする課題】
【０００３】
しかしながら、上記圧着端子では、断面略Ｖ字状に折曲されるとともに、その折曲部に裸線の挿入孔が設けられ、２つのねじ固定部に裸線を挟み込むようにして裸線を固定するため、裸線が挟持される状態で圧着部およびねじ固定部同士の隙間がほとんどなくなり、Ｖ字状の折曲部だけでなく圧着部やねじ固定部に至るまで、圧着端子自体が変形してしまう。特に、ねじに近づく裸線の先端部では変形が大きい。また、裸線が単線であれば裸線自体はほとんど変形しないために端子自体の変形が激しく、縒り線であっても十分に解けない状態で圧着されることから、端子自体の変形を避けることができない。圧着端子自体が変形すると、外観上見苦しいだけでなく、一度使用した端子は２度と使用できなくなる。一方、端子自体の変形を防止しようとすると、ねじ止めを緩くしなければならず、裸線が抜けやすくなるだけでなく、ねじも緩みやすくなって信頼性を大幅に低下させることとなる。
【０００４】
本発明は、このような事情に鑑みなされたもので、端子自体の変形を防止しながら電線を確実に接続固定することができる接続端子の提供を目的とする。
【課題を解決するための手段】
【０００５】
上記目的を達成するため、本発明の接続端子は、２つ折り状に屈曲形成されて２つ折りの両片にそれぞれねじ挿通開口が形成されるとともに屈曲部に電線挿入穴が形成され、ねじ挿通開口が形成されたねじ受け部と支点となる屈曲部との間に電線を挟持する挟持部が形成され、上記挟持部とねじ挿通開口との間に挟持される電線の先端部を露出させる露出開口が形成されていることを要旨とする。
【発明の効果】
【０００６】
すなわち、本発明の接続端子は、ねじ挿通開口が形成されたねじ受け部と支点となる屈曲部との間に電線を挟持する挟持部が形成されているため、上記電線挿入穴に電線を挿入した状態でねじ挿通開口にねじを挿通し、ねじ受け部をねじ止めすることにより、電線挿入穴に挿入された電線が挟持部に挟持されて固定される。このとき、上記挟持部とねじ挿通開口との間に挟持される電線の先端部を露出させる露出開口が形成されていることから、電線挿入穴に挿入した電線の最もねじに近づく先端部を露出開口から露出させて、ねじ受け部および挟持部同士の間から逃がすことで、端子自体が変形してしまうことを防止する。このような変形防止効果は、縒り線でも効果的であるが、ほとんど変形しない単線であればより効果的である。このように、端子自体の変形を効果的に防止し、外観上見栄えがよくなるとともに、一度使用した端子を繰り返し使用することも可能となる。しかも、従来のように、ねじ止めを緩くすることで電線が抜けやすくなったり、ねじが緩みやすくなって信頼性を低下させたりすることもなく、確実に電線を接続固定することができる。
【０００７】
本発明の接続端子において、上記電線挿通穴がプレス加工により形成されたものであり、プレス加工の際にダイス側にあった面が２つ折りの内側に配置されるよう構成されている場合には、プレス加工で電線挿通穴の開口部に形成される返りが、挿通された電線に引っかかるように形成されることとなるため、電線挿通穴に電線の先端を挿通させてねじ止めする際に、挿通した電線が抜け難くなるため、ねじ止め等の作業性の面で有利である。
【０００８】
本発明の接続端子において、上記挟持部は対面して合わさる凸面部と凹面部を有する場合には、対面した凸面部と凹面部の間に電線が挟持されることにより、より確実に電線を接続固定することができるうえ、電線の先端部を露出開口から露出させる際に先端部を曲げてから電線挿通穴に差し込む等の加工をしなくてもよくなり、作業性の面で有利である。
【０００９】
本発明の接続端子において、上記屈曲部の曲率半径が電線の半径と略同じかそれ以上である場合には、電線挿通穴が開口するうえに曲げの支点となる屈曲部の強度が十分に保たれる。
【発明を実施するための最良の形態】
【００１０】
図１は、本発明の一実施の形態の接続端子を示す斜視図であり、（Ａ）は側面図、（Ｂ）は正面図である。
【００１１】
この接続端子は、アルミニウムや銅等の導電性の材料からなり、この例では、全体として帯板状の部材が２つ折りに屈曲形成されて構成されている。
【００１２】
より詳しく説明すると、上記接続端子は、２つ折り状の屈曲部１０と反対側の開放端側の両片に、それぞれねじ挿通開口１１が形成され、上記ねじ挿通開口１１が形成された平らな両片がそれぞれねじ受け部１２に形成されている。上記両ねじ受け部１２は互いに略平行になるよう配置され、両ねじ受け部１２に形成された両ねじ挿通開口１１は、同軸状で後述するねじ１３が挿通されるようになっている。
【００１３】
一方、屈曲部１０には、電線挿入穴１４が形成されている。また、上記屈曲部１０の曲率半径は、電線挿入穴１４に挿入される電線１５の半径と略同じかそれ以上となるよう設定されている。
【００１４】
また、上記屈曲部１０と両ねじ受け部１２は、上側に配置されて上面凸の弧状に形成されて下面に凹面部１７が形成された上側アーム部２２と、下側に配置されて同じく上面凸の弧状に形成されて上面に凸面部１８が形成された下側アーム部２３とにより接続されている。
【００１５】
上記下側アーム部２３の凸面部１８の屈曲部１０寄りには、下側挟持突起１９が突設されている。一方、上記上側アーム部２２の凹面部１７の屈曲部１０寄りには、上記下側挟持突起１９に対して千鳥状の位置に上側挟持突起２０が突設されている。
【００１６】
ねじ受け部１２と支点となる屈曲部１０との間には、上記上側アーム部２２の一部および下側アーム部２３の一部により、電線１５を挟持する挟持部１６が形成され、上記挟持部１６は、対面して合わさる凸面部１８と凹面部１７を有して構成されている。
【００１７】
さらに、上記挟持部１６とねじ挿通開口１１との間すなわち上側アーム部２２のねじ受け部１２寄りの部分には、挟持される電線の先端部を露出させる露出開口２１が形成されている。上記露出開口２１は、電線挿入穴１４と略同軸状になるように、上側アーム部２２の厚み方向に対して斜めになるよう穿設されている。
【００１８】
図２は、本実施形態の接続端子の使用状態を示す図であり、（Ａ）は電線１５を挿通してねじ１３を取り付けた状態、（Ｂ）はねじ１３を締め込んだ状態を示す。
【００１９】
端子台２４のねじ穴２５に接続端子のねじ挿通開口１１を合わせ、ねじ挿通開口１１にねじ１３を挿通してねじ穴２５に仮止めする。ついで、電線挿通穴１４に被覆を除去した電線１５を挿入し、先端部１５ａを露出開口２１からねじ１３側に少し突出させる。この状態でねじ１３を端子台２４にねじ込むことにより、挟持部１６が電線１５を挟持するとともに、下側挟持突起１９と上側挟持突起２０が電線１５に食い込んで、電線１５の接続が確実に行なわれる。
【００２０】
図３は、上記接続端子の製造工程を説明する図である。
【００２１】
図において、２６は接続端子になる金属製の板材２６である。上記板材２６をプレス加工することにより電線挿通穴１４、下側挟持突起１９、上側挟持突起２０、露出開口２１、ねじ挿通開口１１が形成される。
【００２２】
図に示すように、電線挿通穴１４等は、パンチ２７とダイス２８によってプレス加工で形成される。そして、図４に示すように、プレス加工の際にダイス側にあった面２９が、２つ折りの内側に配置されるよう構成されている。図５に示すように、露出開口２１においても同様に、プレス加工の際にダイス側にあった面２９が、２つ折りの内側に配置されるよう構成されている。これにより、プレスによって形成された返り３０が挿入された電線に引っかかるように作用する。
【００２３】
以上のように、上記接続端子は、ねじ挿通開口１１が形成されたねじ受け部１２と支点となる屈曲部１０との間に電線１５を挟持する挟持部１６が形成されているため、上記電線挿入穴１４に電線１５を挿入した状態でねじ挿通開口１１にねじ１３を挿通し、ねじ受け部１２をねじ止めすることにより、電線挿入穴１４に挿入された電線１５が挟持部１６に挟持されて固定される。このとき、上記挟持部１６とねじ挿通開口１１との間に挟持される電線１５の先端部１５ａを露出させる露出開口２１が形成されていることから、電線挿入穴１４に挿入した電線１５の最もねじ１３に近づく先端部１５ａを露出開口２１から露出させて、ねじ受け部１２および挟持部１６同士の間から逃がすことで、端子自体が変形してしまうことを防止する。このような変形防止効果は、縒り線でも効果的であるが、ほとんど変形しない単線であればより効果的である。このように、端子自体の変形を効果的に防止し、外観上見栄えがよくなるとともに、一度使用した端子を繰り返し使用することも可能となる。しかも、従来のように、ねじ止めを緩くすることで電線１５が抜けやすくなったり、ねじ１３が緩みやすくなって信頼性を低下させたりすることもなく、確実に電線１５を接続固定することができる。
【００２４】
また、上記電線挿入穴１４がプレス加工により形成されたものであり、プレス加工の際にダイス側にあった面２９が２つ折りの内側に配置されるよう構成されている場合には、プレス加工で電線挿入穴１４の開口部に形成される返り３０が、挿通された電線１５に引っかかるように形成されることとなるため、電線挿入穴１４に電線１５の先端を挿通させてねじ止めする際に、挿通した電線１５が抜け難くなるため、ねじ止め等の作業性の面で有利である。
【００２５】
また、上記挟持部１６は対面して合わさる凸面部１８と凹面部１７を有する場合には、対面した凸面部１８と凹面部１７の間に電線１５が挟持されることにより、より確実に電線１５を接続固定することができるうえ、電線１５の先端部１５ａを露出開口２１から露出させる際に先端部１５ａを曲げてから電線挿入穴１４に差し込む等の加工をしなくてもよくなり、作業性の面で有利である。
【００２６】
また、上記屈曲部１０の曲率半径が電線１５の半径と略同じかそれ以上である場合には、電線挿入穴１４が開口するうえに曲げの支点となる屈曲部１０の強度が十分に保たれる。
【００２７】
上述した説明では、ねじ挿通開口１１として丸穴状のものを例示したが、ねじ挿通開口１１としては、先端が二股状に形成されたものをはじめ、各種の形態のものを含む趣旨である。
【図面の簡単な説明】
【００２８】
【図１】本発明が適用される第１実施形態の接続端子の一例を示す図である。
【図２】上記接続端子の作用を説明する図である。
【図３】上記接続端子の製造工程の一例を示す図である。
【図４】上記接続端子の作用を説明する図である。
【図５】上記接続端子の作用を説明する図である。
【符号の説明】
【００２９】
１０：屈曲部
１１：ねじ挿通開口
１２：ねじ受け部
１３：ねじ
１４：電線挿入穴
１５：電線
１５ａ：先端部
１６：挟持部
１７：凹面部
１８：凸面部
１９：下側挟持突起
２０：上側挟持突起
２１：露出開口
２２：上側アーム部
２３：下側アーム部
２４：端子台
２５：ねじ穴
２６：板材
２７：パンチ
２８：ダイス
２９：面
３０：返り
【図１】
2009218081.tif 000003
【図２】
2009218081.tif 000004
【図３】
2009218081.tif 000005
【図４】
2009218081.tif 000006
【図５】
2009218081.tif 000007